(57)【特許請求の範囲】
【請求項１】
少なくとも第１及び第２のレンズ群と、
第１及び第２のレンズ群を光軸方向に間隔を変えながらそれぞれ移動させるカム溝を有するカム筒と、
第１レンズ群の回転を阻止して光軸方向の移動を可能にする第１レンズ群用直進規制部材と、
第２レンズ群の回転を阻止して光軸方向の移動を可能にする第２レンズ群用直進規制部材と、
第１レンズ群を保持し、カム溝及び第１レンズ群用直進規制部材にそれぞれ係合して、カム筒に対し一端から組み込まれる第１レンズ群保持枠と、
第２レンズ群を保持し、カム溝及び第２レンズ群用直進規制部材にそれぞれ係合して、カム筒に対し他端から組み込まれる第２レンズ群保持枠とを備え、
第１レンズ群保持枠と第２レンズ群保持枠との間に、光軸方向において互いに離間する方向に付勢する付勢手段を介設し、
カム溝に、第１レンズ群保持枠及び第２レンズ群保持枠を組立時にそれぞれ位置決めするための第１レンズ群用位置決め突部及び第２レンズ群用位置決め突部を形成し、
第１レンズ群用位置決め突部と第２レンズ群用位置決め突部が光軸方向において互いに離間する方向に向けて形成されていることを特徴とする鏡筒装置。
【請求項２】
第１レンズ群保持枠と第２レンズ群保持枠は、カム筒に対して内周側と外周側に分けて組み込まれることを特徴とする請求項１に記載の鏡筒装置。
【発明の詳細な説明】
【技術分野】
【０００１】
本発明は、レンズ群の数に応じて直進規制部材を備える鏡筒装置に関する。
【背景技術】
【０００２】
カム筒により第１レンズ群及び第２レンズ群を駆動するレンズ鏡筒において、従来は、カム筒に対し一方の端部から第１レンズ群保持枠（第１レンズ筒）及び第２レンズ群保持枠（第２レンズ筒）を組み込んでいた（例えば特許文献１参照）。
この場合、各レンズ群保持枠（レンズ筒）は、回転を阻止して光軸方向の移動を可能にする同一の直進規制部材（フロートキー）と所定位置で嵌合するため、位置決めすることはそれ程難しいものではなかった。
【特許文献１】特開平５−２４９３６０号公報
【発明の開示】
【発明が解決しようとする課題】
【０００３】
しかし、レンズの多様化並びに小型化により、最近では、各レンズ群保持枠必ずしも一つ直進規制部材に嵌合させることができない場合が出てきた。
そのため、直進規制部材を各レンズ群分だけ用意しなければならず、その際、各レンズ群同士の関連がないため、位置決めがし難く、組立てに時間と労力がかかってしまう問題があった。
【０００４】
本発明の課題は、レンズ群の数に応じて直進規制部材を備える鏡筒装置において、カム筒に対する各レンズ群保持枠の位置決めを容易にして、組立ての時間短縮及び労力削減を図ることである。
【課題を解決するための手段】
【０００５】
以上の課題を解決するため、本発明は、例えば図１から図４に示すように、少なくとも第１及び第２のレンズ群Ｌ１・Ｌ２と、第１及び第２のレンズ群Ｌ１・Ｌ２を光軸方向に間隔を変えながらそれぞれ移動させるカム溝７１・７２を有するカム筒７と、第１レンズ群Ｌ１の回転を阻止して光軸方向の移動を可能にする第１レンズ群用直進規制部材８と、第２レンズ群Ｌ２の回転を阻止して光軸方向の移動を可能にする第２レンズ群用直進規制部材９と、第１レンズ群Ｌ１を保持し、カム溝７１及び第１レンズ群用直進規制部材８にそれぞれ係合して、カム筒７に対し一端から組み込まれる第１レンズ群保持枠１と、第２レンズ群Ｌ２を保持し、カム溝７２及び第２レンズ群用直進規制部材９にそれぞれ係合して、カム筒７に対し他端から組み込まれる第２レンズ群保持枠２とを備える鏡筒装置であって、カム溝７１・７２に、第１レンズ群保持枠１及び第２レンズ群保持枠２を組立時にそれぞれ位置決めするための位置決め突部７３・７４を形成したことを特徴とする。
【０００６】
本発明によれば、第１レンズ群用直進規制部材に係合する第１レンズ群保持枠を、カム筒に対し一端から組み込む一方、第２レンズ群用直進規制部材に係合する第２レンズ群保持枠を、カム筒に対し他端から組み込むことで、カム溝の位置決め突部に、第１レンズ群保持枠及び第２レンズ群保持枠がそれぞれ位置決めされる。
【０００７】
本発明は、鏡筒装置であって、例えば図２及び図３に示すように、第１レンズ群保持枠１と第２レンズ群保持枠２との間に、互いに離間する方向に付勢する付勢手段Ｓを介設したことを特徴とする。
【０００８】
本発明によれば、第１レンズ群保持枠と第２レンズ群保持枠が、その間の付勢手段により、互いに離間する方向に付勢されることで、カム溝の位置決め突部に対し、第１レンズ群保持枠及び第２レンズ群保持枠がそれぞれ位置決め状態に保持される。
【０００９】
本発明は、鏡筒装置であって、例えば図２及び図３に示すように、第１レンズ群保持枠１と第２レンズ群保持枠２は、カム筒７に対して内周側と外周側に分けて組み込まれることを特徴とする。
【００１０】
本発明によれば、カム筒に対して内周側と外周側に分けて第１レンズ群保持枠と第２レンズ群保持枠が組み込まれることで、第１レンズ群保持枠と第２レンズ群保持枠を互いに干渉することなくカム筒に対して個別に組み込める。
【００１１】
本発明は、鏡筒装置であって、例えば図１及び図４に示すように、カム溝７１・７２に対し、第１レンズ群用位置決め突部７３と第２レンズ群用位置決め突部７４が互いに反対方向に向けて形成されていることを特徴とする。
【００１２】
本発明によれば、第１レンズ群用位置決め突部と第２レンズ群用位置決め突部が、カム溝に対し互いに反対方向に向けて形成されていることで、カム溝の位置決め突部に対し、付勢手段の付勢により第１レンズ群保持枠及び第２レンズ群保持枠をそれぞれ位置決め保持した状態が得られる。
【発明の効果】
【００１３】
本発明によれば、第１レンズ群用直進規制部材に係合する第１レンズ群保持枠をカム筒に対し一端から組み込んで、第２レンズ群用直進規制部材に係合する第２レンズ群保持枠をカム筒に対し他端から組み込むことにより、カム溝の位置決め突部に第１レンズ群保持枠及び第２レンズ群保持枠を容易に位置決めできるため、組立てに要する時間を短縮できるとともに労力を削減できる。
【発明を実施するための最良の形態】
【００１４】
以下、図を参照して本発明を実施するための最良の形態を詳細に説明する。
本発明を適用した鏡筒装置の一実施形態の構成を示した図１から図４において、Ｃは撮像素子、Ｌ１は第１レンズ群、Ｌ２は第２レンズ群、Ｌ３は第３レンズ群、１は第１レンズ群保持枠、２は第２レンズ群保持枠、３は第３レンズ群保持枠、４は固定筒、５は回転筒、６は直進筒、７はカム筒、８は第１レンズ群用直進規制部材、９は第２レンズ群用直進規制部材である。
【００１５】
図２において、固定筒４は図示しないカメラ本体に設けられており、この固定筒４の内周のヘリコイドギア４１に、回転筒５の外周のヘリコイドギア５１が噛み合っている。さらに、回転筒５の外周のギア５２が、固定筒４の外に設置されたギア４２に噛み合っている。これにより、回転筒５は回転しながら光軸方向に移動可能となっている。なお、図１に示すように、回転筒５のヘリコイドギア５１及びギア５２が駆動部を構成する。
【００１６】
回転筒５内に直進筒６が嵌合しており、この直進筒６は、係合部６１が固定筒４のキー溝４６と係合することにより、回転せず光軸方向に直進可能となっている。直進筒６の挿通溝６２には、カム筒７の外周に突出した連結コマ７６が挿通している。この連結コマ７６は、回転筒５の内周のカム筒駆動用直進溝５６に係合している。これにより、回転筒５が回転すると、カム筒７も同様に回転する。
【００１７】
回転駆動部材としてのカム筒７には、外周に第１レンズ群用カム溝７１が形成されて、内周に第２レンズ群用カム溝７２が形成されている。カム筒７の前端側に端部が開放された第１レンズ群用カム溝７１には、第１レンズ群保持枠１の内周に突出した第１コマ１１が係合している。また、カム筒７の後端側に端部が開放された第２レンズ群用カム溝７２には、第２レンズ群保持枠２の外周に突出した第２コマ２１が係合している。これら第１レンズ群用カム溝７１と第２レンズ群用カム溝７２には、組立時の組込位置に対応した位置決め突部７３・７４が互いに反対方向に向けて形成されている。
【００１８】
さらに、カム筒７の外周側に第１レンズ群用直進規制部材８が配置されて、カム筒７の後端側に第２レンズ群用直進規制部材９が配置されている。第１レンズ群用直進規制部材８の外周に突出した係合部８３が、直進筒６の内周の直進溝６３に係合して、第２レンズ群用直進規制部材９の外周に突出した係合部９４が、直進筒６の内周の直進溝６４に係合している。これにより、第１レンズ群用直進規制部材８及び第１レンズ群用直進規制部材９は、回転せず、光軸方向にのみ直進可能となっている。
【００１９】
そして、第１レンズ群保持枠１は、カム筒７と第１レンズ群用直進規制部材８との間に配置されている。この第１レンズ群保持枠１の外周に突出した係合部１２が、第１レンズ群用直進規制部材８の内周の直進溝８２に係合している。
また、第２レンズ群保持枠２は、カム筒７の内方に配置されていて、外周の直進溝２２に、第１レンズ群用直進規制部材８から前方に突出した直進レバー９２が係合している。この第２レンズ群保持枠２と第１レンズ群保持枠１との間には、図２に示すように、互いに離間する方向に付勢するコイルバネによる付勢手段Ｓが介設されている。
【００２０】
以上の構成により、第１レンズ群保持枠１、第２レンズ群保持枠２、直進筒６、第１レンズ群用直進規制部材８及び第２レンズ群用直進規制部材９は、回転せず、光軸方向にのみ直進可能となっている。
また、前述したとおり、回転筒５及びカム筒７は、回転しながら光軸方向に移動可能となっている。
【００２１】
以上において、第３レンズ群Ｌ３は、オートフォーカス（ＡＦ）のためのレンズであり、図示しない別のモータによって駆動される。
ここで、図４において、第１レンズ群用カム溝７１に第１コマ１１が係合した状態と第２レンズ群用カム溝７２に第２コマ２１が係合した状態を示したもので、テレ位置を１１ｔ、２１ｔ、ワイド位置を１１ｗ、２１ｗで示しており、収納位置を１１、２１で示している。そして、図示例では、第１レンズ群用カム溝７１において、開放端部から近いテレ位置１１ｔの直前位置に位置決め突部７３が設けられ、第２レンズ群用カム溝７２においては、開放端部から遠いテレ位置２１ｔの直後位置に位置決め突部７４が設けられている。
【００２２】
以上の鏡筒装置は、組立時において、第１レンズ群保持枠１をカム筒７に対し前端側（被写体側）から組み込む一方、第２レンズ群保持枠２をカム筒７に対し後端側から組み込む。
すなわち、第１レンズ群保持枠１内周の第１コマ１１を、カム筒７外周の前端側の開放端部から第１レンズ群用カム溝７１に係合させる一方、第２レンズ群保持枠２外周の第２コマ２１を、カム筒７内周の後端側の開放端部から第２レンズ群用カム溝７２に係合させる。
【００２３】
この時、第１レンズ群保持枠１と第２レンズ群保持枠２は、付勢手段（コイルバネ）Ｓにより互いに離間する方向に付勢されているので、第１コマ１１と第２コマ２１は、第１レンズ群用カム溝７１と第２レンズ群用カム溝７２の互いに反対方向に向けた組込位置の位置決め突部７３・７４に位置決め状態で保持される。
こうして、第１レンズ群保持枠１と第２レンズ群保持枠２がカム筒７に対し組込位置で止まることにより、第１レンズ群Ｌ１及び第２レンズ群Ｌ２の合わせが簡単に行える。
従って、組立てに要する時間を短縮できるとともに労力を削減できるものとなる。
【００２４】
なお、以上の実施形態においては、付勢手段としてコイルバネとしたが、本発明はこれに限定されるものではなく、他のバネや同様の機能が得られる部材を用いても良い。
また、位置決め突部の形状等も任意であり、その他、具体的な細部構造等についても適宜に変更可能であることは勿論である。
【図面の簡単な説明】
【００２５】
【図１】本発明を適用した一実施形態の構成を示すもので、鏡筒装置の部品構成を示した分解斜視図である。
【図２】図１の部品構成による鏡筒装置のワイド状態を示した縦断側面図である。
【図３】同じくテレ状態を示した縦断側面図である。
【図４】カム筒のカム溝を示す展開図で、他面側のカム溝を透視状態で示した図である。
【符号の説明】
【００２６】
Ｃ  撮像素子
Ｌ１  第１レンズ群
Ｌ２  第２レンズ群
Ｌ３  第３レンズ群
Ｓ  付勢手段
１  第１レンズ群保持枠
１１  第１コマ
１２  係合部
２  第２レンズ群保持枠
２１  第２コマ
２２  直進溝
３  第３レンズ群保持枠
４  固定筒
４１  ヘイリコイドギア
４２  ギア
４６  キー溝
５  回転筒
５１  ヘイリコイドギア
５２  ギア
５６  カム筒駆動用直進溝
６  直進筒
６１  係合部
６２  挿通溝
６３・６４  直進溝
７  カム筒
７１  第１レンズ群用カム溝
７２  第２レンズ群用カム溝
７３  第１レンズ群用位置決め突部
７４  第２レンズ群用位置決め突部
７６  連結コマ
８  第１レンズ群用直進規制部材
８２  直進溝
８３  係合部
９  第２レンズ群用直進規制部材
９２  直進レバー
９４  係合部
【図１】
0004623997.tif 000002
【図２】
0004623997.tif 000003
【図３】
0004623997.tif 000004
【図４】
0004623997.tif 000005